(57)【特許請求の範囲】
【請求項１】
施解錠操作の可否が電気的に切り替えられるとともにマスターキーで強制的にロック解除が可能な電気錠を備えた複数のロッカー装置と、
該ロッカー装置に近接してＩＤコードを送信するとともに各ロッカー装置に対応してそれぞれ異なるＩＤコードを送信する複数の携帯用送信手段と、
該複数のロッカー装置が接続されるとともに任意のロッカー装置で前記携帯用送信手段から受信したＩＤコードが当該ロッカー装置に登録されたＩＤコードと一致したとき当該ロッカー装置の電気錠をロック解除する制御部と、
を備えた非接触式ロッカーシステムであって、
前記ロッカー装置に近接して前記携帯用送信手段の各ＩＤコードと異なるＩＤコードを送信するマスター携帯用送信手段を備え、
前記制御部は、前記複数のロッカー装置の任意の１つのロッカー装置で前記マスターキーが操作され、かつ、前記マスター携帯用送信手段のＩＤコードが受信されたとき、該受信されたＩＤコードを前記複数のロッカー装置のマスターコードとして登録し、
上記マスターコードが登録されている場合に、前記ロッカー装置で該マスターコードと一致するＩＤコードに引き続いて受信されるＩＤコードを、当該ロッカー装置のＩＤコードとして登録するようにしたことを特徴とする非接触式ロッカーシステム。
【請求項２】
前記制御部は、前記複数のロッカー装置の一部の複数のロッカー装置を１つのブロックとして管理し、前記マスターコードが登録されている場合に、上記ブロック内の任意の１つのロッカー装置で該マスターコードと一致するＩＤコードに引き続いて受信されるＩＤコードを、当該ブロック内の各ロッカー装置に共通のメイドマスターコードとして登録し、該ブロック内のロッカー装置で該メイドマスターコードに一致するＩＤコードを受信したときに、該ロッカー装置をロック解除することを特徴とする請求項１記載の非接触式ロッカーシステム。
【発明の詳細な説明】
【０００１】
【発明の属する技術分野】
本発明は、スポーツ施設等で利用者に貸し出されるロッカー装置に関わり、リストバンドやカード等の携帯品を接近させることにより非接触でロッカー装置のロック状態を解除する非接触式ロッカーシステムに関する。
【０００２】
【従来の技術】
従来、プールやスキー場などのスポーツ施設の貸しロッカーとして、例えばロッカー管理者が利用者にロッカー番号を指定してＩＤカードを発行し、利用者が指定された番号のロッカー装置にＩＤカードを挿入して解錠し、その後ロッカー装置を施錠するに当たって暗唱番号を登録し、以後、暗唱番号の入力により解錠できるようなシステムがある。
【０００３】
しかし、このようなシステムでは、ＩＤカードの挿抜や暗唱番号の登録および入力等の操作が煩雑であったり、ロッカー使用中にもロッカー番号や暗唱番号を記憶していなければならないなどの問題があった。そこで、例えば特開平３−２０２９９７号公報に示されているように、送受信機を組み込んだリストバンドによりロッカー装置との間でＩＤコードの授受を非接触で行い、ＩＤコードの一致によりロッカーを解錠するようなシステムが提案されている。
【０００４】
【発明が解決しようとする課題】
しかしながら、このような非接触式ロッカーシステムでは、リストバンド側のＩＤコードと対応するロッカー装置のＩＤコードとが一致するように、利用に先立って各ロッカー装置側のＩＤコードを登録する必要がある。したがって、管理の手間を軽減するためにもＩＤコードの登録作業を容易にすることが要求される。また、このようなＩＤコードの登録は、管理者のみが行えるようにする必要がある。本発明は、非接触式ロッカーシステムにおいて、管理者が行うＩＤコードの登録作業を容易にすることを課題とする。
【０００５】
【課題を解決するための手段】
上記の課題を解決するためになした本発明の非接触式ロッカーシステムは、施解錠操作の可否が電気的に切り替えられるとともにマスターキーで強制的にロック解除が可能な電気錠を備えた複数のロッカー装置と、該ロッカー装置に近接してＩＤコードを送信するとともに各ロッカー装置に対応してそれぞれ異なるＩＤコードを送信する複数の携帯用送信手段と、該複数のロッカー装置が接続されるとともに任意のロッカー装置で前記携帯用送信手段から受信したＩＤコードが当該ロッカー装置に登録されたＩＤコードと一致したとき当該ロッカー装置の電気錠をロック解除する制御部と、を備えた非接触式ロッカーシステムであって、前記ロッカー装置に近接して前記携帯用送信手段の各ＩＤコードと異なるＩＤコードを送信するマスター携帯用送信手段を備え、前記制御部は、前記複数のロッカー装置の任意の１つのロッカー装置で前記マスターキーが操作され、かつ、前記マスター携帯用送信手段のＩＤコードが受信されたとき、該受信されたＩＤコードを前記複数のロッカー装置のマスターコードとして登録し、上記マスターコードが登録されている場合に、前記ロッカー装置で該マスターコードと一致するＩＤコードに引き続いて受信されるＩＤコードを、当該ロッカー装置のＩＤコードとして登録するようにしたことを特徴とする。
【０００６】
本発明の非接触式ロッカーシステムにおいては、管理者がマスターキーを任意のロッカー装置にセットして操作し、前記マスター携帯用送信手段（例えばリストバンド）をそのロッカー装置に近接させることにより、このマスター携帯用送信手段のＩＤコードがマスターコードとして全てのロッカー装置に登録される。その後、各ロッカー装置に対して、マスター携帯用送信手段を近接させ、引き続いてそのロッカー装置に対応する携帯用送信手段（例えばリストバンド）を接近させるだけで各ロッカー装置のＩＤコードが登録される。
【０００７】
また、制御部で複数のロッカー装置の一部の複数のロッカー装置を１つのブロックとして管理し、前記マスターコードが登録されている場合に、上記ブロック内の任意の１つのロッカー装置で該マスターコードと一致するＩＤコードに引き続いて受信されるＩＤコードを、当該ブロック内の各ロッカー装置に共通のメイドマスターコードとして登録し、該ブロック内のロッカー装置で該メイドマスターコードに一致するＩＤコードを受信したときに、該ロッカー装置をロック解除するようにしてもよい。この場は、団体の利用者にロッカー装置を貸し出す場合に適している。すなわち、上記メイドマスターコードとして登録したときの、リストバンド等をその団体の代表者等に手渡しておくことで、その代表者がブロック全部のロッカー装置を管理してロック解除することができるとともに、代表者１人だけがリストバンド等を所持すればよい。
【０００８】
【発明の実施の形態】
以下、本発明の一実施形態について図面を参照して説明する。図１は本発明の実施例の非接触式ロッカーシステムのブロック図、図２および図３は同ロッカーシステムにおける制御を示すフローチャート、図４は同ロッカーシステムの複数のロッカー装置の一部を示す斜視図、図５（Ａ）は実施例における電気錠の内部を示す背面図、図５（Ｂ）はその側面図である。
【０００９】
図４に示すように、この実施例では１０台のロッカー装置１０を一つのロッカー群として一つの外側フレームに収容されている。実際のロッカーシステムでは図４のロッカー群が必要な台数だけ設置される。なお、このロッカー群の１つまたは複数群あるいは任意の数のロッカー装置１０を、団体用の１ブロックとして任意に設定できる。
【００１０】
各ロッカー装置１０は、扉１０ａの裏側に、携帯用送信手段としてのリストバンド２０と送受信を行う送受信部１と、扉１０ａの開閉を規制する電気錠２を備えている。また、扉１０ａの表側には、送受信部１に接続されたアンテナ部３、ＬＥＤ４、ロッカー番号を印した銘板５が配設されるとともに、電気錠２の把手１１およびシリンダ錠のキー挿入部１７ａが露出されている。なお、送受信部１、ＬＥＤ４および電気錠２は図示しない制御部に接続されている。
【００１１】
管理者がロッカー装置１０を強制的にロック解除するときと、ＩＤコードの登録作業を行うときは、キー挿入部１７ａからマスターキー３０を挿入して回動し、管理者用のリストバンド２０をアンテナ部３に接近させる。また、利用者がロッカー装置１０を開けるときは、利用者用のリストバンド２０をアンテナ部３に接近させる。なお、同図ではリストバンド２０を１個だけ示してあるが、このリストバンド２０は各ロッカー装置１０に対応する利用者用と、管理者が保管するマスター用とを備えている。また、利用者用の各リストバンド２０に記憶されているＩＤコードはそれぞれ異なるコードであり、マスター用のリストバンド２０は、利用者用のリストバンド２０のＩＤコードと異なる特定のＩＤコードが記憶されている。なお、利用者用のリストバンド２０には、対応するロッカー装置１０のロッカー番号が印されている。
【００１２】
図５に示すように、電気錠２は、軸１１ａにより把手１１に連結されたラッチ板１２を備えており、このラッチ板１２は把手１１と共にフレーム１３に対して図の矢印のように回動自在に取り付けられている。把手１１を操作してラッチ板１２を回動し、ラッチ板１２を水平状態（図５（Ａ）の状態）にすることによりラッチ板１２がロッカーの框部に係合して扉を施錠した状態となる。また、ラッチ板１２を垂直状態にすることによりラッチ板１２がロッカーの框部から外れて解錠した状態となる。
【００１３】
なお、この明細書では、ラッチ板１２が框部に係合した状態のように、扉が開かないようにした状態を施錠状態、ラッチ板１２が框部から外された状態のように扉を開くことができる状態を解錠状態といい、施錠状態のときでラッチ板１２を電気的に回動できないようにするなど、把手１１等の操作だけでは解錠状態にできないような状態をロック状態という。また、施解錠状態にできるような状態をアンロック状態という。
【００１４】
ラッチ板１２の円盤部１２ａには、この円盤部１２ａに対して揺動自在なピン１４が取り付けられ、このピン１４の下端は、支持板１５の支持片１５ａに形成された孔１５ｂに遊嵌されるとともに、ピン１４に固定された座金１４ａと支持片１５ａとの間にスプリング１６が配設されている。これにより、把手１１およびラッチ板１２を回動して、施錠状態と解錠状態とを切り替えるときに節度感が得られる。
【００１５】
把手１１およびラッチ板１２の下方にはシリンダ錠１７が配設され、シリンダ錠１７の下方には駆動軸１８ａを上方に向けたソレノイド１８が配設されている。ソレノイド１８の駆動軸１８ａには断面コの字状の連結板１９を介してロックピン２１が取り付けられている。ロックピン２１はフレーム１３に固定された軸受２２に上下動自在に保持されている。また、ソレノイド１８と連結板１９との間にはスプリング２３が配設されており、連結板１９およびロックピン２１は、このスプリング２３により上方に付勢されている。
【００１６】
シリンダ錠１７の回動軸１７ｂには偏心した扇状のロック用タング１７ｃが取り付けられており、このロック用タング１７ｃは、その外周が連結板１９のソレノイド１８側内面に摺接するように配置されている。
【００１７】
ラッチ板１２の円盤部１２ａのロックピン２１側には曲げ加工によりロック爪１２ｂが形成されており、ロックピン２１が図５のように上方に突出した状態でラッチ板１２が回動するとロック爪１２ｂがロックピン２１の上端部に当接する。
【００１８】
以上の状態で、ソレノイド１８に通電すると、ソレノイド１８がスプリング２３の弾性力に抗して連結板１９を引き寄せ、ロックピン２１の上端が軸受２２内に没入し、駆動軸１８ａがラッチされアンロック状態となる。したがって、この状態では、ラッチ板１２のロック爪１２ｂはロックピン２１に当接しないので、把手１１を操作してラッチ板１２を回動して施解錠操作を行うことができる。
【００１９】
アンロック状態で再びソレノイド１８に通電されると、スプリング２３の弾性力によりロックピン２１の上端が軸受２２から突出する。したがって、この状態では、ラッチ板１２のロック爪１２ｂはロックピン２１に当接するので、把手１１を操作してもラッチ板１２を回動することができず、解錠することができない。すなわちロック状態となる。
【００２０】
このロック状態のときに、シリンダ錠１７のキー挿入部１７ａにマスターキー３０を挿入して、図５（Ａ）で反時計回りに回動すると、偏心した扇状のロック用タング１７ｃがスプリング２３の弾性力に抗して連結板１９を押し下げて、ロックピン２１の上端が軸受２２内に没入するので、把手１１を操作して解錠することができる。すなわち、マスターキー３０によりロック状態が強制的に解除される。また、マスターキー３０を図５（Ａ）で時計回りに回動すると、スプリング２３の弾性力によりロックピン２１の上端が軸受２２から突出するので、ロック状態になる。
【００２１】
ロック用タング１７ｃの近傍には、ロック用タング１７ｃの位置に応じてＯＮ／ＯＦＦするキー操作検出スイッチ４０が配設されており、このキー操作検出スイッチ４０は、ロック用タング１７ｃが図５の状態すなわちロック状態のときＯＦＦ、ロック用タング１７ｃが図５の状態から反時計回りに９０度回転された状態すなわちロック解除の状態のときＯＮとなる。
【００２２】
ラッチ板１２の上方には、このラッチ板１２の回動位置に応じてＯＮ／ＯＦＦする施解錠確認スイッチ５０が配設され、この施解錠確認スイッチ５０は、ラッチ板１２が図５（Ａ）の水平状態すなわち施錠状態のときＯＦＦ、ラッチ板１２が図５の水平状態から反時計回りに９０度回転された状態すなわち解錠状態のときＯＮとなる。
なお、キー操作検出スイッチ４０と施解錠確認スイッチ５０はケーブル２５を介して図示しない制御部に接続されている。
【００２３】
以上の電気錠２を備えた複数のロッカー装置１０は、図１に示したように制御部１００に接続されている。制御部１００はコンピュータや電源回路等で構成されている。制御部１００は、電源の投入により各ロッカー装置１０の送受信部１を制御してアンテナ３を介してリストバンド２０への電源供給のための特定電波を常に送信するとともに、全ロッカー装置１０をスキャンすることにより各送受信部１でのリストバンド２０からの受信状態を確認し、また、電気錠２におけるキー操作検出スイッチ４０、施解錠確認スイッチ５０の状態を確認する。さらに、任意のロッカー装置１０のＬＥＤ４の点灯制御、電気錠２におけるソレノイド１８の駆動制御を行う。
【００２４】
リストバンド２０は、ロッカー装置１０の送受信部１からの特定電波を受信するとともに送信用のアンテナの役割をするコイル２０ａ−１を含む受信回路２０ａと、この受信回路２０ａで誘起された電圧で動作するＩＣ回路部２０ｂとを備えており、ＩＣ回路部２０ｂは、このリストバンド２０に対して予め決められたＩＤコードを記憶しており、この記憶しているＩＤコードをコイル２０ａ−１を介して送信する。
【００２５】
以上の構成により、ロッカー装置１０のアンテナ部３から送信される特定電波がリストバンド２０の受信回路２０ａで受信されると、この特定電波の受信によってＩＣ回路部２０ｂが動作し、予め記憶しているＩＤコードを所定のフォーマットで送信する。このＩＤコードは、ロッカー装置１０のアンテナ部３および送受信部１を介して制御部１００に取り込まれる。そして、制御部１００は受信内容、キー操作検出スイッチ４０の状態、施解錠確認スイッチ５０の状態に基づいて処理を行う。なお、ロッカー装置１０とリストバンド２０との間で送受信が行われるのはアンテナ部３から１０ｃｍの範囲内に設定されている。
【００２６】
この実施例では、管理者がマスターキー３０とマスター用のリストバンド２０により、先ず、任意のロッカー装置１０から全ロッカー装置１０に対してマスターコードを登録する。これにより、任意に定めた複数のロッカー装置１０を団体用のブロックとするときのメイドマスターコードの登録と、個々のロッカー装置１０を個別の利用者用とするときのＩＤコードの登録とを行えるようになっている。なお、管理者が使用する特定のリストバンド２０に記憶されているＩＤコード（請求項における「マスターコード」）をこの実施例では「グランドマスタＩＤ」、団体用のブロックのメイドマスターコードを「メイドマスターＩＤ」、個別の利用者用のＩＤコードを「ユーザＩＤ」という。
【００２７】
次に図２および図３に基づいて実施例の動作を説明する。先ず、電源の投入により、図２の処理を開始し、ステップＳ１で各ロッカー装置１０の送受信部１に電源を供給してリストバンド２０の起電用の特定電波の送信を開始し、ステップＳ２でキー操作検出スイッチ４０がＯＮ（キーＯＮ）であるか否かを判定する。キー操作検出スイッチ４０がＯＮであれば、マスターキー３０でロック解除操作が行われたことになるので、ステップＳ３以降でグランドマスタＩＤの登録処理、または、メイドマスターＩＤの登録処理を行う。キー操作検出スイッチ４０がＯＦＦであれば、図３のステップＳ２０以降でリストバンド２０によるロッカー装置１０のロック解除に対応する処理と、ユーザＩＤの登録処理を行う。
【００２８】
ステップＳ３では、キー操作検出スイッチ４０がＯＮとなったロッカー装置（以後「対応するロッカー装置」という。）の送受信部１で受信が有るか否かを判定し、受信が無ければステップＳ１に戻り、受信が有ればステップＳ４で受信したＩＤコードがグランドマスタＩＤ（ＧＭＩＤ）であるか否かを判定する。
なお、この判定は、メモリ内に対応するロッカー装置に割り当てたグランドマスタＩＤ用の記憶領域の内容と、受信したＩＤコードとを比較する処理であり、初期状態ではこの記憶領域にはグランドマスタＩＤと異なる例えばデフォルト値が記憶されているので、グランドマスタＩＤの登録前は判定結果がノーとなってステップＳ５に進む。この判定処理の動作は以下のメイドマスターＩＤ、ユーザＩＤについても同様である。
そして、ステップＳ５の判定結果がノーであればステップＳ５以降でグランドマスタＩＤの登録処理を行い、受信したＩＤコードがグランドマスタＩＤで判定結果がイエスであればグランドマスタＩＤが登録済みであるので、ステップＳ１４以降でメイドマスターＩＤの登録処理を行う。
【００２９】
ステップＳ５では、対応するロッカー装置のＬＥＤ４を点滅させ、ステップＳ６でタイマをスタートさせ、ステップＳ７でキー操作検出スイッチ４０がＯＦＦ（キーＯＦＦ）であるか否かを判定する。キー操作検出スイッチ４０がＯＦＦでなければ、ロック解除の状態であるのでステップＳ８でタイマがタイムアップしたか否かを判定し、タイムアップしていなければステップＳ７に戻り、タイムアップしたらステップＳ９でＬＥＤ４を消灯し、ステップＳ１０でキー操作検出スイッチ４０がＯＦＦとなるまで待機する。キー操作検出スイッチ４０がＯＦＦとなれば、ステップＳ１３でロッカー装置１０のソレノイド１８へ通電してロック状態にする。
【００３０】
タイマがタイムアップするまでにステップＳ７でキー操作検出スイッチ４０がＯＦＦとなれば、対応するロッカー装置でマスターキー３０によりロック操作が行われたことになるので、ステップＳ１１で、全てのロッカー装置１０の各々に対して割り当てられているメモリの各記憶領域に、受信したＩＤコードをグランドマスタＩＤとして記憶してグランドマスタＩＤの登録を完了し、ステップＳ１２で対応するロッカー装置１０のＬＥＤ４を１秒点灯して登録が完了したことを表示する。そして、ステップＳ１３で、ロッカー装置１０のソレノイド１８へ通電してロック状態にし、ステップＳ２に戻る。
以上の処理により、マスターキー３０を用いてロック解除操作とロック操作をする間に、マスター用のリストバンド２０を任意のロッカー装置１０のアンテナ部３に近接させることにより、グランドマスタＩＤを登録することができる。
【００３１】
ステップＳ４で、対応するロッカー装置１０で受信されたＩＤコードがグランドマスタＩＤである場合、ステップＳ１４でタイマをスタートさせ、ステップＳ１５でタイマがタイムアップしたか否かを判定し、タイムアップしたらステップＳ１３に進み、タイムアップしていなければ、ステップＳ１６で対応するロッカー装置の送受信部１で新たな受信が有るか否かを判定する。受信がなければステップＳ１５に戻り、タイマがタイムアップするまでにステップＳ１６で受信が有れば、ステップＳ１７で、対応するロッカー装置１０と同じブロックに指定されているロッカー装置１０の各々に対して割り当てられているメモリの各記憶領域に、受信したＩＤコードをメイドマスターＩＤ（ＭＭＩＤ）として記憶してメイドマスターＩＤの登録を完了する。
【００３２】
次に、ステップＳ１８で対応するロッカー装置１０のＬＥＤ４を１秒点灯して登録が完了したことを表示する。そして、ステップＳ１９でキー操作検出スイッチ４０がＯＦＦとなるまで待機し、キー操作検出スイッチ４０がＯＦＦとなれば、ステップＳ１３でロッカー装置１０のソレノイド１８へ通電してロック状態にし、ステップＳ２に戻る。
【００３３】
以上の処理により、グランドマスタＩＤの登録後であれば、マスターキー３０を用いてロック解除操作とロック操作をする間に、マスター用のリストバンド２０とブロック内の任意のロッカー装置１０に対応するリストバンド２０を用いて、それをロッカー装置１０のアンテナ部３に順次近接させることにより、メイドマスターＩＤを登録することができる。
【００３４】
次に、マスターキー３０でロック解除操作が行われない状態では、ステップＳ２から図３のステップＳ２０に進み、先ずステップＳ２０で、全てのロッカー装置１０をスキャンして受信が有るか否かを判定し、受信が無ければステップＳ２に戻り、受信が有ればステップＳ２１で受信したＩＤコードがグランドマスタＩＤ（ＧＭＩＤ）であるか否かを判定し、グランドマスタＩＤであればステップＳ２４で対応するロッカー装置のソレノイド１８に通電を行ってロックを解除する。
【００３５】
受信したＩＤコードがグランドマスタＩＤでなければ、ステップＳ２２でメイドマスターＩＤ（ＭＭＩＤ）であるか否かを判定し、メイドマスターＩＤでなければステップＳ２３に進み、メイドマスターＩＤであれば、ステップＳ２４で対応するロッカー装置１０のソレノイド１８に通電を行ってロックを解除する。このメイドマスターＩＤであった場合の処理により、ブロックでメイドマスターＩＤを登録したときの一つのリストバンド２０により、ブロック内の各ロッカー装置１０のロックを解除できる。
【００３６】
受信したＩＤコードがメイドマスターＩＤでもなければ、ステップＳ２３でユーザＩＤ（ＵＳＩＤ）であるか否かを判定し、ユーザＩＤでなければ図２のステップＳ２に戻り、ユーザＩＤであれば、ステップＳ２４で対応するロッカー装置１０のソレノイド１８に通電を行ってロックを解除する。
【００３７】
以上の処理により、グランドマスタＩＤ、メイドマスターＩＤおよびユーザＩＤによるロッカー装置１０のロック解除が可能となり、把手１１の操作で解錠してロッカー装置１０を開けることができる。
【００３８】
次に、ステップＳ２４でロックが解除されると、ステップＳ２５でタイマをスタートさせ、ステップＳ２６でタイマがタイムアップしたか否かを判定し、タイムアップしたらステップＳ３２に進み、タイムアップしていなければ、ステップＳ２７でグランドマスタＩＤによるロック解除か否かを判定する。グランドマスタＩＤによるロック解除の場合は、管理者の操作であるのでステップＳ２８以降でユーザＩＤの登録処理を行い、グランドマスタＩＤによるロック解除でない場合は利用者の操作であるのでステップＳ３０に進む。
【００３９】
すなわち、管理者の操作の場合、ステップＳ２８で、対応するロッカー装置１０で受信が有るか否かを判定し、受信がなければステップＳ３０に進み、受信が有ればステップＳ２９で、対応するロッカー装置１０に対して割り当てられているメモリの記憶領域に受信したＩＤコードをユーザＩＤとして記憶してユーザＩＤの登録を完了する。そして、ステップＳ３２で対応するロッカー装置１０のソレノイド１８の通電を遮断してロック状態にし、ステップＳ２に戻る。
以上の処理により、マスター用のリストバンド２０で任意のロッカー装置１０のロックを解除して、そのロッカー装置１０に対応するリストバンド２０により、その対応するユーザＩＤを登録することができる。
【００４０】
また、利用者の操作の場合は、ステップＳ３０で対応するロッカー装置１０の施解錠確認スイッチ５０がＯＮ（スイッチＯＮ）であるか否かを判定し、施解錠確認スイッチ５０がＯＮでなければステップＳ２６に戻り、タイマがタイムアップするまでにステップＳ３０で施解錠確認スイッチ５０がＯＮとなれば、ステップＳ３１で施解錠確認スイッチ５０がＯＦＦ（スイッチＯＦＦ）となるまで待機する。そして、ＯＦＦとなればステップＳ３２で、対応するロッカー装置１０のソレノイド１８へ通電してロック状態にし、ステップＳ２に戻る。
以上の処理により、グランドマスタＩＤ、メイドマスターＩＤ、ユーザＩＤにに基づいてロックを解除した場合、タイマがタイムアップするまでに、把手１１を操作して解錠しなければステップＳ２６からステップＳ３２に進んで自動的にロック状態となり、タイマがタイムアップするまでに解錠（スイッチＯＮ）することにより、ロッカー装置１０を開けることができる。また、ロッカー装置１０を閉めて施錠するまでは待機状態となり、施錠されると（スイッチＯＦＦ）自動的にロック状態になる。
【００４１】
グランドマスタＩＤを更新したい場合は、新規登録と同様にマスターキー３０によりロックを解除した後、任意のリストバンド２０をアンテナ部３に接近させることによりグランドマスタＩＤを更新することができる。
メイドマスターＩＤおよびユーザＩＤについても新規登録と同様な操作で更新が可能になる。
【００４２】
以上のように、管理者は、任意の一つのロッカー装置１０に対して、マスターキー３０でロックを解錠し、マスター用のリストバンド２０をアンテナ部３に接近させると、全てのロッカー装置１０にグランドマスタＩＤを登録することができ、その後、各ロッカー装置１０に対して、マスター用のリストバンド２０をアンテナ部３に近接させ、引き続いてそのロッカー装置に対応する利用者用のリストバンド２０をアンテナ部３に接近させるだけで、そのロッカー装置１０に対応するユーザＩＤを登録することができる。
また、上記の実施例では、予め設定したブロックのうちの任意のロッカー装置に対して、マスターキー３０でロックを解除し、そのロッカー装置に対応するリストバンド２０によりそのリストバンドのＩＤコードをメイドマスターＩＤとして登録することができ、一つのリストバンド２０でそのブロックのロッカー装置１０を全てロック解除することができる。
【００４３】
なお、上記の実施例では、本発明においてマスターコードを登録する際の条件の「マスターキーが操作された場合」として、マスターキーによるロック解除の操作をした場合について説明したが、例えばシリンダ錠にマスターキーの挿入を検出するスイッチを設け、ロック解除操作の条件に代えて、マスターキーをキー挿入部に挿入した状態をマスターコードを登録する際の条件としてもよい。
【００４４】
また、上記の実施例では、携帯用送信手段としてリストバンドを用いた場合について説明したが、カードなど他のものを用いてもよい。
また、ブロック単位で管理しなくてもよい。
【００４５】
【発明の効果】
以上説明したように、本発明の非接触式ロッカーシステムによれば、複数のロッカー装置の任意の１つのロッカー装置でマスターキーが操作され、そのときに受信されたマスター携帯用送信手段のＩＤコードを全てのロッカー装置のマスターコードとして登録し、このマスターコードが登録されている場合に、ロッカー装置でマスターコードと一致するＩＤコードに引き続いて受信されるＩＤコードを、当該ロッカー装置のＩＤコードとして登録するようにしたので、任意の１つのロッカー装置に対する操作だけで全てのロッカー装置に対してマスタコードを登録することができる。また、個々のロッカー装置にＩＤコードを登録するときも、例えばマスター用のリストバンドと利用者用のリストバンドで非接触でＩＤコードを登録することができるので、管理者が行うＩＤコードの登録作業が容易になる。また、マスターキーを使用するので、ＩＤコードの登録を管理者のみが行える。
【図面の簡単な説明】
【図１】本発明の実施例の非接触式ロッカーシステムのブロック図である。
【図２】同ロッカーシステムにおける制御を示すフローチャートの一部である。
【図３】同ロッカーシステムにおける制御を示すフローチャートの他の一部である。
【図４】同ロッカーシステムの複数のロッカー装置の一部を示す斜視図である。
【図５】図５（Ａ）は実施例における電気錠の内部を示す背面図、図５（Ｂ）はその側面図である。
【符号の説明】
１  送受信部
２  電気錠
３  アンテナ部
１０  ロッカー装置
２０  リストバンド
３０  マスターキー
４０  キー操作検出スイッチ
５０  施解錠確認スイッチ
１００  制御部
【図１】
0003749569.tif 000002
【図２】
0003749569.tif 000003
【図３】
0003749569.tif 000004
【図４】
0003749569.tif 000005
【図５】
0003749569.tif 000006